(57)【特許請求の範囲】
【請求項１】
基地局は、キャリア指示（Ｃａｒｒｉｅｒ Ｉｎｄｉｃａｔｏｒ、ＣＩ）情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと、
前記基地局は、対応の検索空間を介して対応する端末へ異なるＰＤＣＣＨを送信するステップと
を含み、
前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は前記検索空間開始パラメータにより制御チャネルエレメント（Ｃｏｎｔｒｏｌ Ｃｈａｎｎｅｌ Ｅｌｅｍｅｎｔｓ、ＣＣＥ）情報を確定するステップと
を含み、
下記の数式は、前記基地局が各ＰＤＣＣＨのＣＩ情報により各ＰＤＣＣＨに対応する検索空間開始パラメータを確定するのに用いられる数式であり、
【数１】
0005420082.tif 000069
、
ここで、Ｙｋは各ＰＤＣＣＨに対応する検索空間開始パラメータであり、
【数２】
0005420082.tif 000070
はＣＩ情報に対応する十進法の数値であり、
pはシステムに設定された整数であり、
【数３】
0005420082.tif 000071
、
A=39827、
D=65537、
【数４】
0005420082.tif 000072
、
ｎｓは無線フレームのタイムスロット番号である
ことを特徴とする物理ダウンリンク制御チャネル情報送信方法。
【請求項２】
基地局は、キャリア指示（Ｃａｒｒｉｅｒ Ｉｎｄｉｃａｔｏｒ、ＣＩ）情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと、
前記基地局は、対応の検索空間を介して対応する端末へ異なるＰＤＣＣＨを送信するステップと
を含み、
前記基地局が前記ＣＩ情報により異なるＰＤＣＣＨに対応する異なる検索空間を確定するステップは、
前記基地局は各ＰＤＣＣＨに対応する検索空間開始パラメータを確定するステップと、
前記基地局は各ＰＤＣＣＨのＣＩ情報と検索空間開始パラメータにより各ＰＤＣＣＨに対応するＣＣＥ情報を確定するステップと
を含み、
下記の数式は、前記基地局が各ＰＤＣＣＨのＣＩ情報と検索空間開始パラメータにより各ＰＤＣＣＨに対応するＣＣＥ情報を確定するのに用いられる数式であり、
【数５】
0005420082.tif 000073
ここで、Ｙｋは各ＰＤＣＣＨに対応する検索空間開始パラメータであり、
【数６】
0005420082.tif 000074
はＣＩ情報に対応する十進法の数値であり、
pはシステムに設定された整数であり、
ｍ=０、１、…、ＭＬ-１、
Lはアグリゲーション・リソースレベルであり、
ＭＬはアグリゲーション・リソースレベルＬに対応する検索空間のサイズである
ことを特徴とする物理ダウンリンク制御チャネル情報送信方法。
【請求項３】
基地局は、キャリア指示（Ｃａｒｒｉｅｒ Ｉｎｄｉｃａｔｏｒ、ＣＩ）情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと、
前記基地局は、対応の検索空間を介して対応する端末へ異なるＰＤＣＣＨを送信するステップと
を含み、
前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は各ＰＤＣＣＨのＣＩ情報と前記検索空間開始パラメータにより各ＰＤＣＣＨに対応するＣＣＥ情報を確定するステップと
を含み、
下記数式は、前記基地局が各ＰＤＣＣＨのＣＩ情報により各ＰＤＣＣＨに対応する検索空間開始パラメータを確定するのに用いられる数式であり、
【数７】
0005420082.tif 000075
ここで、Ｙｋは各ＰＤＣＣＨに対応する検索空間開始パラメータであり、
【数８】
0005420082.tif 000076
はＣＩ情報に対応する十進法の数値であり、
pはシステムに設定された整数であり、
【数９】
0005420082.tif 000077
、
A=39827、
D=65537、
【数１０】
0005420082.tif 000078
、
ｎｓは無線フレームのタイムスロット番号であり、
下記数式は、前記基地局が各ＰＤＣＣＨのＣＩ情報と検索空間開始パラメータにより各ＰＤＣＣＨに対応するＣＣＥ情報を確定するのに用いられる数式であり、
【数１１】
0005420082.tif 000079
ここで、Ｙｋは各ＰＤＣＣＨに対応する検索空間開始パラメータであり、
【数１２】
0005420082.tif 000080
はＣＩ情報に対応する十進法の数値であり、
pはシステムに設定された整数であり、
i=０、１、…、L-１、
ｍ=０、１、…、ＭＬ-１、
Lはアグリゲーション・リソースレベルであり、
ＭＬはアグリゲーション・リソースレベルＬに対応する検索空間のサイズである
ことを特徴とする物理ダウンリンク制御チャネル情報送信方法。
【請求項４】
前記基地局が前記ＣＩ情報により異なるＰＤＣＣＨに対応する異なる検索空間を確定する前に、
前記基地局は、前記ＣＩ情報を量子化するステップをさらに含むことを特徴とする請求項１から３のいずれかに記載の物理ダウンリンク制御チャネル情報送信方法。
【請求項５】
基地局は、キャリア指示（Ｃａｒｒｉｅｒ Ｉｎｄｉｃａｔｏｒ、ＣＩ）情報を確定するステップと、
前記基地局は、前記ＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと
を含み、
前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は前記検索空間開始パラメータにより制御チャネルエレメント（Ｃｏｎｔｒｏｌ Ｃｈａｎｎｅｌ Ｅｌｅｍｅｎｔｓ、ＣＣＥ）情報を確定するステップと
を含み、
下記の数式は、前記基地局が各ＰＤＣＣＨのＣＩ情報により各ＰＤＣＣＨに対応する検索空間開始パラメータを確定するのに用いられる数式であり、
【数１３】
0005420082.tif 000081
ここで、Ｙｋは各ＰＤＣＣＨに対応する検索空間開始パラメータであり、
【数１４】
0005420082.tif 000082
はＣＩ情報に対応する十進法の数値であり、
pはシステムに設定された整数であり、
【数１５】
0005420082.tif 000083
A=39827、
D=65537、
【数１６】
0005420082.tif 000084
、
ｎｓは無線フレームのタイムスロット番号である
ことを特徴とする物理ダウンリンク制御チャネル検索空間確定方法。
【請求項６】
基地局は、キャリア指示（Ｃａｒｒｉｅｒ Ｉｎｄｉｃａｔｏｒ、ＣＩ）情報を確定するステップと、
前記基地局は、前記ＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと
を含み、
前記基地局が前記ＣＩ情報により異なるＰＤＣＣＨに対応する異なる検索空間を確定するステップは、
前記基地局は各ＰＤＣＣＨに対応する検索空間開始パラメータを確定するステップと、
前記基地局は各ＰＤＣＣＨのＣＩ情報と検索空間開始パラメータにより各ＰＤＣＣＨに対応するＣＣＥ情報を確定するステップと
を含み、
下記数式は、前記基地局が各ＰＤＣＣＨのＣＩ情報と検索空間開始パラメータにより各ＰＤＣＣＨに対応するＣＣＥ情報を確定するのに用いられる数式であり、
【数１７】
0005420082.tif 000085
ここで、Ｙｋは各ＰＤＣＣＨに対応する検索空間開始パラメータであり、
【数１８】
0005420082.tif 000086
はＣＩ情報に対応する十進法の数値であり、
pはシステムに設定された整数であり、
i=０、１、…、L-１、
ｍ=０、１、…、ＭＬ-１、
Lはアグリゲーション・リソースレベルであり、
ＭＬはアグリゲーション・リソースレベルＬに対応する検索空間のサイズである
ことを特徴とする物理ダウンリンク制御チャネル検索空間確定方法。
【請求項７】
基地局は、キャリア指示（Ｃａｒｒｉｅｒ Ｉｎｄｉｃａｔｏｒ、ＣＩ）情報を確定するステップと、
前記基地局は、前記ＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定するステップと
を含み、
前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は各ＰＤＣＣＨのＣＩ情報と前記検索空間開始パラメータにより各ＰＤＣＣＨに対応するＣＣＥ情報を確定するステップと
を含み、
下記数式は、前記基地局が各ＰＤＣＣＨのＣＩ情報により各ＰＤＣＣＨに対応する検索空間開始パラメータを確定するのみ用いられる数式であり、
【数１９】
0005420082.tif 000087
、
ここで、Ｙｋは各ＰＤＣＣＨに対応する検索空間開始パラメータであり、
【数２０】
0005420082.tif 000088
はＣＩ情報に対応する十進法の数値であり、
pはシステムに設定された整数であり、
【数２１】
0005420082.tif 000089
A=39827、
D=65537、
【数２２】
0005420082.tif 000090
、
ｎｓは無線フレームのタイムスロット番号であり、
下記数式は、前記基地局が各ＰＤＣＣＨのＣＩ情報と検索空間開始パラメータにより各ＰＤＣＣＨに対応するＣＣＥ情報を確定するのみ用いられる数式であり、
【数２３】
0005420082.tif 000091
ここで、Ｙｋは各ＰＤＣＣＨに対応する検索空間開始パラメータであり、
【数２４】
0005420082.tif 000092
はＣＩ情報に対応する十進法の数値であり、
pはシステムに設定された整数であり、
i=０、１、…、L-１、
ｍ=０、１、…、ＭＬ-１、
Lはアグリゲーション・リソースレベルであり、
ＭＬはアグリゲーション・リソースレベルＬに対応する検索空間のサイズである
ことを特徴とする物理ダウンリンク制御チャネル検索空間確定方法。
【請求項８】
前記基地局が前記ＣＩ情報により異なるＰＤＣＣＨに対応する異なる検索空間を確定する前に、
前記基地局は、前記ＣＩ情報を量子化するステップをさらに含むことを特徴とする請求項５から７のいずれかに記載の物理ダウンリンク制御チャネル検索空間確定方法。
【請求項９】
基地局であって、
前記基地局は、キャリア指示（Ｃａｒｒｉｅｒ Ｉｎｄｉｃａｔｏｒ、ＣＩ）情報を確定する第１確定モジュールと、
前記第１確定モジュールに接続され、前記第１確定モジュールにより確定されたＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定する第２確定モジュールと
を備え、
前記第２確定モジュールは、
各ＰＤＣＣＨのＣＩ情報により各ＰＤＣＣＨに対応する検索空間開始パラメータを確定するパラメータ確定サブモジュールと、
前記パラメータ確定サブモジュールに接続され、前記パラメータ確定サブモジュールが確定した検索空間開始パラメータにより制御チャネルエレメント（Ｃｏｎｔｒｏｌ Ｃｈａｎｎｅｌ Ｅｌｅｍｅｎｔｓ、ＣＣＥ）情報を確定する情報確定サブモジュールと、
前記第１確定モジュールが確定したＣＩ情報を量子化する量子化サブモジュールと、
を備えることを特徴とする基地局。
【請求項１０】
基地局であって、
前記基地局は、キャリア指示（Ｃａｒｒｉｅｒ Ｉｎｄｉｃａｔｏｒ、ＣＩ）情報を確定する第１確定モジュールと、
前記第１確定モジュールに接続され、前記第１確定モジュールにより確定されたＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定する第２確定モジュールと
を備え、
前記第２確定モジュールは、
検索空間開始パラメータを確定するパラメータ確定サブモジュールと、
前記パラメータ確定サブモジュールに接続され、各ＰＤＣＣＨのＣＩ情報と前記パラメータ確定サブモジュールが確定した検索空間開始パラメータにより各ＰＤＣＣＨに対応するＣＣＥ情報を確定する情報確定サブモジュールと、
前記第１確定モジュールが確定したＣＩ情報を量子化する量子化サブモジュールと、
を備えることを特徴とする基地局。
【請求項１１】
基地局であって、
前記基地局は、キャリア指示（Ｃａｒｒｉｅｒ Ｉｎｄｉｃａｔｏｒ、ＣＩ）情報を確定する第１確定モジュールと、
前記第１確定モジュールに接続され、前記第１確定モジュールにより確定されたＣＩ情報により異なる物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）に対応する異なる検索空間を確定する第２確定モジュールと
を備え、
前記第２確定モジュールは、
各ＰＤＣＣＨのＣＩ情報により各ＰＤＣＣＨに対応する検索空間開始パラメータを確定するパラメータ確定サブモジュールと、
前記パラメータ確定サブモジュールに接続され、各ＰＤＣＣＨのＣＩ情報と前記パラメータ確定サブモジュールが確定した検索空間開始パラメータにより各ＰＤＣＣＨに対応するＣＣＥ情報を確定する情報確定サブモジュールと
前記第１確定モジュールが確定したＣＩ情報を量子化する量子化サブモジュールと、
を備えることを特徴とする基地局。
【請求項１２】
端末は、プリセット情報における
【数２５】
0005420082.tif 000093
情報及びネットワーク側において異なるＰＤＣＣＨに対応する異なる検索空間を確定するための策略に基づいて、受信された各ダウンリンクキャリアに対応する物理ダウンリンク制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）の検索空間を確定し、
前記ネットワーク側において異なるＰＤＣＣＨに対応する異なる検索空間を確定すための策略は、
前記ネットワーク側は各ＰＤＣＣＨに対応する検索空間開始パラメータを確定することと、
前記ネットワーク側は各ＰＤＣＣＨのＣＩ情報と検索空間開始パラメータにより各ＰＤＣＣＨに対応するＣＣＥ情報を確定することと
を含み、
下記の数式は、基地局が各ＰＤＣＣＨのＣＩ情報と検索空間開始パラメータにより各ＰＤＣＣＨに対応するＣＣＥ情報を確定するのに用いられる数式であり、
【数２６】
0005420082.tif 000094
ここで、Ｙｋは各ＰＤＣＣＨに対応する検索空間開始パラメータであり、
【数２７】
0005420082.tif 000095
はＣＩ情報に対応する十進法の数値であり、
pはシステムに設定された整数であり、
ｍ=０、１、…、ＭＬ-１、
Lはアグリゲーション・リソースレベルであり、
ＭＬはアグリゲーション・リソースレベルＬに対応する検索空間のサイズである
ことを特徴とする物理ダウンリンク制御チャネル情報送信方法。
【請求項１３】
前記端末がプリセット情報における
【数２８】
0005420082.tif 000096
情報及びネットワーク側において異なるＰＤＣＣＨに対応する異なる検索空間を確定するための策略に基づいて、受信された各ダウンリンクキャリアに対応するＰＤＣＣＨの検索空間を確定した後に、
前記端末は、確定された各検索空間において自身に対応するＰＤＣＣＨを受信するステップをさらに含むことを特徴とする請求項１２に記載の物理ダウンリンク制御チャネル検索空間確定方法。
【請求項１４】
前記端末が確定された前記各検索空間において自身に対応するＰＤＣＣＨを受信するステップは、
前記端末は、確定された前記各検索空間においてＰＤＣＣＨを取得し、前記ＰＤＣＣＨに含まれるキャリア指示（Ｃａｒｒｉｅｒ Ｉｎｄｉｃａｔｏｒ、ＣＩ）情報とプリセット情報における
【数２９】
0005420082.tif 000097
情報が一致するか否かを判定するステップと、
一致すると判定すれば、前記端末は前記ＣＩ情報により対応する検索空間においてＰＤＣＣＨを受信し、一致しないと判定すれば、前記端末は他のＰＤＣＣＨを引き続き取得し、各ダウンリンクキャリアでの各検索空間における全てのＰＤＣＣＨに対して判定を完了するまでに、前記他のＰＤＣＣＨに含まれるＣＩ情報とプリセット情報における
【数３０】
0005420082.tif 000098
情報が一致するか否かを判定するステップと
を含むことを含むことを特徴とする請求項１３に記載の物理ダウンリンク制御チャネル検索空間確定方法。
【請求項１５】
ネットワーク側から送信された情報により、少なくとも
【数３１】
0005420082.tif 000099
情報を含むプリセット情報を配置する配置モジュールと、
前記配置モジュールが配置したプリセット情報における
【数３２】
0005420082.tif 000100
情報及びネットワーク側において異なる物理ダウンリンク制御チャネルＰＤＣＣＨに対応する異なる検索空間を確定するための策略に基づいて、受信された各ダウンリンクキャリアに対応するＰＤＣＣＨの検索空間を確定する確定モジュールと
を備え、
前記ネットワーク側において異なるＰＤＣＣＨに対応する異なる検索空間を確定すための策略は、
前記ネットワーク側は各ＰＤＣＣＨに対応する検索空間開始パラメータを確定することと、
前記ネットワーク側は各ＰＤＣＣＨのＣＩ情報と検索空間開始パラメータにより各ＰＤＣＣＨに対応するＣＣＥ情報を確定することと
を含み、
下記の数式は、基地局が各ＰＤＣＣＨのＣＩ情報と検索空間開始パラメータにより各ＰＤＣＣＨに対応するＣＣＥ情報を確定するのに用いられる数式であり、
【数３３】
0005420082.tif 000101
ここで、Ｙｋは各ＰＤＣＣＨに対応する検索空間開始パラメータであり、
【数３４】
0005420082.tif 000102
はＣＩ情報に対応する十進法の数値であり、
pはシステムに設定された整数であり、
ｍ=０、１、…、ＭＬ-１、
Lはアグリゲーション・リソースレベルであり、
ＭＬはアグリゲーション・リソースレベルＬに対応する検索空間のサイズである
ことを特徴とする端末。
【請求項１６】
前記確定モジュールにより確定された各検索空間において自身に対応するＰＤＣＣＨを受信する受信モジュールをさらに備えることを特徴とする請求項１５に記載の端末。
【請求項１７】
前記確定モジュールにより確定された前記各検索空間においてＰＤＣＣＨを取得し、前記ＰＤＣＣＨに含まれるＣＩ情報と前記配置モジュールにより配置されたプリセット情報における
【数３５】
0005420082.tif 000103
情報が一致するか否かを判定し、一致しないと判定すれば、各ダウンリンクキャリアの各検索空間における全てのＰＤＣＣＨに対して判定を完了するまでに、他のＰＤＣＣＨに対応するＣＩ情報と前記配置モジュールにより配置されたプリセット情報における
【数３６】
0005420082.tif 000104
情報が一致するか否かを引き続き判定する判定モジュールをさらに備え、
前記受信モジュールは、さらに、前記判定モジュールの判定結果が一致である場合、前記ＣＩ情報により対応する検索空間においてＰＤＣＣＨを受信する
ことを特徴とする請求項１６に記載の端末。
【発明の詳細な説明】
【技術分野】
【０００１】
本発明は、通信技術分野に関し、特にＰＤＣＣＨ情報送信方法、ＰＤＣＣＨ検索空間確定方法及び装置に関する。
【背景技術】
【０００２】
キャリアアグリゲーションＰＤＣＣＨ（Ｐｈｙｓｉｃａｌ Ｄｏｗｎｌｉｎｋ Ｃｏｎｔｒｏｌ Ｃｈａｎｎｅｌ、物理ダウンリンク制御チャネル）の設計において、ＰＤＣＣＨがクロスキャリアリソース割り当てを指示できることを核心思想とするＯｐｔｉｏｎ １B方案が保留され、例えば、あるＵＥ（Ｕｓｅｒ   Ｅｑｕｉｐｅｎｔ、ユーザー設備）のキャリア１、キャリア２、キャリア３におけるリソース割り当て情報を伝送するＰＤＣＣＨのいずれもキャリア２に載せられて伝送するように指示し、かつ、１つのＣＩ（Ｃａｒｒｉｅｒ Ｉｎｄｉｃａｔｏｒ、キャリア指示、一般的にＣＩが１〜３ｂｉｔｓの情報量を持つ）によりＰＤＣＣＨとキャリアとの対応関係を示し、クロスキャリアＰＤＣＣＨを示す図が具体的に図１に示すようなものである。
【０００３】
同一ＵＥに属する複数のＰＤＣＣＨが１つのキャリアで伝送される場合、その検索空間の定義は分析が必要とする問題となり、Ｒｅ１−８のＰＤＣＣＨ検索空間の定義による場合、ＰＤＣＣＨに占められるＣＣＥ（Ｃｏｎｔｒｏｌ Ｃｈａｎｎｅｌ Ｅｌｅｍｅｎｔｓ、制御チャネルエレメント）情報、即ち、ｍ番目の候補ＰＤＣＣＨに占められるＣＣＥリソースが下記の数式に基づいて確定できる。
検索空間の位置情報は具体的に次の数式に基づいて確定される。
【数１】
0005420082.tif 000002
ここで、i=０、１、…、L-１、
ｍ=０、１、…、ＭＬ-１、
Ｌがアグリゲーションレベル（Ａｇｇｒｅｇａｔｉｏｎ Ｌｅｖｅｌ、ＡＬ）、ＭＬがアグリゲーション・リソースレベルＬに対応する検索空間のサイズである。また、ＹｋがＵＥのk番目のサブフレーム上のＰＤＣＣＨ検索空間の開始位置を表すパラメータであり、当該パラメータにより異なるアグリゲーション・リソースレベルのＵＥのk番目のサブフレーム上のＰＤＣＣＨ検索空間の開始位置の値を確定することができる。当該パラメータは次の数式に基づいて確定される。
【数２】
0005420082.tif 000003
それに相応して、
【数３】
0005420082.tif 000004
、
A=39827、
D=65537、
【数４】
0005420082.tif 000005
、
ｎｓが無線フレームのタイムスロット番号である。
【０００４】
従来の技術方案にベースにして、本発明を研究する過程では、発明者は、従来の技術方案に少なくとも以下の問題点が存在すると気づいた。
【０００５】
１つの端末が所属するＰＤＣＣＨの数が検索空間における現在の利用可能空間の数を超えると、超えるＰＤＣＣＨがブロックされる。
【０００６】
例えば、あるＵＥが番号１、２、３の３つのキャリアでデータを受信するように配置され、かつ、３つのキャリアに対応するＰＤＣＣＨがいずれもキャリア２で伝送される（即ち、ＰＤＣＣＨ Ｏｐｔｉｏｎ  １Ｂを採用）とし、また、ｅＮＢがある無線フレームにおいて、３つのキャリアでデータを当該ＵＥに同時に送信する必要があると仮定すると、ｅＮＢはキャリア２において３つのＰＤＣＣＨを当該ＵＥに送信する必要がある。
【０００７】
当該ＵＥが用いるＡｇｇｒｅｇａｔｉｏｎ ｌｅｖｅｌが１である場合、対応する検索空間は６つのＣＣＥであり、即ち、図２に示す６つの連続するリソース空間（６つの連続するＣＣＥに対応する）であり、ＣＣＥごとに１つのＰＤＣＣＨが載せられる。
【０００８】
Ｒｅｌ−８のＰＤＣＣＨスケジューリングモードにより、ｅＮＢは、０-５のうちで３つの利用可能なＣＣＥを検出してそれぞれ当該ＵＥの３つのＰＤＣＣＨに割り当てるはずであるが、検索空間に利用可能なＣＣＥが２つのみがあるため、ＰＤＣＣＨごとに対応するＣＣＥを割り当てすることができず、１つのＰＤＣＣＨはアイドルリソースが割り当てられなくなり、即ち、当該ＰＤＣＣＨがブロックされる。
【発明の開示】
【発明が解決しようとする課題】
【０００９】
本発明は上記のような問題点を鑑になされたものであり、クロスキャリアＰＤＣＣＨのスケジューリングの際のブロッキング確率を低減する、ＰＤＣＣＨ情報送信方法、ＰＤＣＣＨ検索空間確定方法及び装置を提供することを目的とする。
【課題を解決するための手段】
【００１０】
上記目的を達成するために、本発明の実施例に係るＰＤＣＣＨ情報送信方法は、
基地局はキャリア指示ＣＩ情報により異なるＰＤＣＣＨに対応する異なる検索空間を確定するステップと、
前記基地局は対応する検索空間を介して対応する端末へ異なるＰＤＣＣＨ情報を送信するステップと、を含む。
【００１１】
好ましくは、基地局がＣＩ情報により異なるＰＤＣＣＨに対応する異なる検索空間を確定するステップは、
基地局はＣＩ情報を確定するステップと、
前記基地局は前記ＣＩ情報により異なるＰＤＣＣＨに対応する異なる検索空間を確定するステップと、を含む。
【００１２】
好ましくは、基地局がＣＩ情報を確定するステップは、
基地局がダウンリンク制御情報ＤＣＩフィールドにおける情報によりＣＩ情報を確定するステップである。
【００１３】
好ましくは、前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は前記検索空間開始パラメータにより制御チャネルエレメントＣＣＥ情報を確定するステップと、を含む。
【００１４】
好ましくは、前記基地局が各ＰＤＣＣＨのＣＩ情報により各ＰＤＣＣＨに対応する検索空間開始パラメータを確定に用いられる数式は、
【数５】
0005420082.tif 000006
であり、
ここで、Ｙｋは各ＰＤＣＣＨに対応する検索空間開始パラメータであり、
【数６】
0005420082.tif 000007
はＣＩ情報に対応する十進法の数値であり、
pはシステムに設定された整数であり、
【数７】
0005420082.tif 000008
、
A=39827、
D=65537、
【数８】
0005420082.tif 000009
、
ｎｓは無線フレームのタイムスロット番号である。
【００１５】
好ましくは、前記基地局が前記ＣＩ情報により異なるＰＤＣＣＨに対応する異なる検索空間を確定するステップは、
前記基地局は各ＰＤＣＣＨに対応する検索空間開始パラメータを確定するステップと、
前記基地局は各ＰＤＣＣＨのＣＩ情報と検索空間開始パラメータにより各ＰＤＣＣＨに対応するＣＣＥ情報を確定するステップと、を含む。
【００１６】
好ましくは、前記基地局が各ＰＤＣＣＨのＣＩ情報と検索空間開始パラメータにより各ＰＤＣＣＨに対応するＣＣＥ情報を確定するのに用いられる数式は、
【数９】
0005420082.tif 000010
であり、
ここで、Ｙｋは各ＰＤＣＣＨに対応する検索空間開始パラメータであり、
【数１０】
0005420082.tif 000011
はＣＩ情報に対応する十進法の数値であり、
pはシステムに設定された整数であり、
i=０、１、…、L-１、
m=０、１、…、ＭＬ-１、
LはLがアグリゲーション・リソースレベルであり、
ＭＬはアグリゲーション・リソースレベルＬに対応する検索空間のサイズである。
【００１７】
好ましくは、前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は各ＰＤＣＣＨのＣＩ情報と前記検索空間開始パラメータにより各ＰＤＣＣＨに対応するＣＣＥ情報を確定するステップと、を含む。
【００１８】
好ましくは、
前記基地局が各ＰＤＣＣＨのＣＩ情報により各ＰＤＣＣＨに対応する検索空間開始パラメータを確定するのに用いられた数式は、
【数１１】
0005420082.tif 000012
、
であり、
ここで、Ｙｋは各ＰＤＣＣＨに対応する検索空間開始パラメータであり、
【数１２】
0005420082.tif 000013
はＣＩ情報に対応する十進法の数値であり、
pはシステムに設定された整数であり、
【数１３】
0005420082.tif 000014
、
A=39827、
D=65537、
【数１４】
0005420082.tif 000015
ｎｓは無線フレームのタイムスロット番号である。
【００１９】
前記基地局が各ＰＤＣＣＨのＣＩ情報と検索空間開始パラメータにより各ＰＤＣＣＨに対応するＣＣＥ情報を確定するのに用いられた数式は、
【数１５】
0005420082.tif 000016
であり、
ここで、Ｙｋは各ＰＤＣＣＨに対応する検索空間開始パラメータであり、
【数１６】
0005420082.tif 000017
はＣＩ情報に対応する十進法の数値であり、
pはシステムに設定された整数であり、
i=０、１、…、L-１、
m=０、１、…、ＭＬ-１であり、
Lはアグリゲーション・リソースレベルであり、
ＭＬはアグリゲーション・リソースレベルＬに対応する検索空間のサイズである。
【００２０】
好ましくは、前記基地局が前記ＣＩ情報により異なるＰＤＣＣＨに対応する異なる検索空間を確定する前に、
前記基地局は、前記ＣＩ情報を量子化するステップをさらに含む。
【００２１】
また、本発明の実施例に係るＰＤＣＣＨ検索空間確定方法は、
基地局はキャリア指示ＣＩ情報を確定するステップと、
前記基地局は前記ＣＩ情報により異なるＰＤＣＣＨに対応する異なる検索空間を確定するステップと、を含む。
【００２２】
好ましくは、前記基地局がＣＩ情報を確定するステップは、
前記基地局はダウンリンク制御情報ＤＣＩフィールドにける情報によりＣＩ情報を確定するステップである。
【００２３】
好ましくは、前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は前記検索空間開始パラメータにより制御チャネルエレメントＣＣＥ情報を確定するステップと、を含む。
【００２４】
好ましくは、前記基地局が各ＰＤＣＣＨのＣＩ情報により各ＰＤＣＣＨに対応する検索空間開始パラメータを確定するのに用いられる数式は、
【数１７】
0005420082.tif 000018
、
であり、
ここで、Ｙｋは各ＰＤＣＣＨに対応する検索空間開始パラメータであり、
【数１８】
0005420082.tif 000019
はＣＩ情報に対応する十進法の数値であり、
pはシステムに設定された整数であり、
【数１９】
0005420082.tif 000020
、
A=39827、
D=65537、
【数２０】
0005420082.tif 000021
、
ｎｓは無線フレームのタイムスロット番号である。
【００２５】
好ましくは、前記基地局が前記ＣＩ情報により異なるＰＤＣＣＨに対応する異なる検索空間を確定するステップは、
前記基地局は各ＰＤＣＣＨに対応する検索空間開始パラメータを確定するステップと、
前記基地局は各ＰＤＣＣＨのＣＩ情報と検索空間開始パラメータにより各ＰＤＣＣＨに対応するＣＣＥ情報を確定するステップと、を含む。
【００２６】
好ましくは、前記基地局が各ＰＤＣＣＨのＣＩ情報と検索空間開始パラメータにより各ＰＤＣＣＨに対応するＣＣＥ情報を確定するのに用いられる数式は、
【数２１】
0005420082.tif 000022
であり、
ここで、Ｙｋは各ＰＤＣＣＨに対応する検索空間開始パラメータであり、
【数２２】
0005420082.tif 000023
はＣＩ情報に対応する十進法の数値であり、
pはシステムに設定された整数であり、
i=０、１、…、L-１、
m=０、１、…、ＭＬ-１、
Lはアグリゲーション・リソースレベルであり、
ＭＬはアグリゲーション・リソースレベルＬに対応する検索空間のサイズである。
【００２７】
好ましくは、前記基地局が前記ＣＩ情報により異なるＰＤＣＣＨに対応する異なる検索空間を確定するステップは、
前記基地局は各ＰＤＣＣＨのＣＩ情報により各ＰＤＣＣＨに対応する検索空間開始パラメータを確定するステップと、
前記基地局は各ＰＤＣＣＨのＣＩ情報と前記検索空間開始パラメータにより各ＰＤＣＣＨに対応するＣＣＥ情報を確定するステップと、を含む。
【００２８】
好ましくは、前記基地局が各ＰＤＣＣＨのＣＩ情報により各ＰＤＣＣＨに対応する検索空間開始パラメータを確定するのに用いられる数式は、
【数２３】
0005420082.tif 000024
であり、
ここで、Ｙｋは各ＰＤＣＣＨに対応する検索空間開始パラメータであり、
【数２４】
0005420082.tif 000025
はＣＩ情報に対応する十進法の数値であり、
pはシステムに設定された整数であり、
【数２５】
0005420082.tif 000026
A=39827、
D=65537、
【数２６】
0005420082.tif 000027
、
ｎｓは無線フレームのタイムスロット番号であり、
前記基地局が各ＰＤＣＣＨのＣＩ情報と検索空間開始パラメータにより各ＰＤＣＣＨに対応するＣＣＥ情報を確定するのに用いられた数式は、
【数２７】
0005420082.tif 000028
であり、
ここで、Ｙｋは各ＰＤＣＣＨに対応する検索空間開始パラメータであり、
【数２８】
0005420082.tif 000029
はＣＩ情報に対応する十進法の数値であり、
pはシステムに設定された整数であり、
i=０、１、…、L-１、
ｍ=０、１、…、ＭＬ-１、
Lはアグリゲーション・リソースレベルであり、
ＭＬはアグリゲーション・リソースレベルＬに対応する検索空間のサイズである。
【００２９】
好ましくは、前記基地局が前記ＣＩ情報により異なるＰＤＣＣＨに対応する異なる検索空間を確定する前の、
前記基地局は、前記ＣＩ情報を量子化するステップをさらに含む。
【００３０】
好ましくは、前記基地局が前記ＣＩ情報により異なるＰＤＣＣＨに対応する異なる検索空間を確定した後に、
前記基地局は、対応する検索空間を介して対応する端末へ異なるＰＤＣＣＨを送信するステップをさらに含む。
【００３１】
また、本発明の実施例に係る基地局は、
キャリア指示ＣＩ情報を確定する第１確定モジュールと、
前記第１確定モジュールに接続され、第１確定モジュールが確定したＣＩ情報により異なる物理ダウンリンク制御情報ＰＤＣＣＨに対応する異なる検索空間を確定する第２確定モジュールと、を備える。
【００３２】
好ましくは、前記第１確定モジュールは、ダウンリンク制御情報DＣＩフィールドにおける情報によりＣＩ情報を確定する。
【００３３】
好ましくは、前記第２確定モジュールは、
各ＰＤＣＣＨのＣＩ情報により各ＰＤＣＣＨに対応する検索空間開始パラメータを確定するパラメータ確定サブモジュールと、
前記パラメータ確定サブモジュールに接続され、前記パラメータ確定サブモジュールが確定した検索空間開始パラメータによりＣＣＥ情報を確定する情報確定サブモジュールと、を備える。
【００３４】
好ましくは、前記第２確定モジュールは、
検索空間開始パラメータを確定するパラメータ確定サブモジュールと、
前記パラメータ確定サブモジュールに接続され、各ＰＤＣＣＨのＣＩ情報と前記パラメータ確定サブモジュールが確定した検索空間開始パラメータにより各ＰＤＣＣＨに対応するＣＣＥ情報を確定する情報確定サブモジュールと、を備える。
【００３５】
好ましくは、前記第２確定サブモジュールは、
各ＰＤＣＣＨのＣＩ情報により各ＰＤＣＣＨに対応する検索空間開始パラメータを確定するパラメータ確定サブモジュールと、
前記パラメータ確定サブモジュールに接続され、各ＰＤＣＣＨのＣＩ情報と前記パラメータ確定サブモジュールが確定した検索空間開始パラメータにより各ＰＤＣＣＨに対応するＣＣＥ情報を確定する情報確定サブモジュールと、を備える。
【００３６】
好ましくは、前記第２確定モジュールは、
前記第１確定モジュールが確定したＣＩ情報を量子化する量子化サブモジュールをさらに備える。
【００３７】
好ましくは、前記基地局は、
前記第２確定モジュールに接続され、前記第２確定モジュールにより確定された異なる検索空間を介して対応する端末へ異なるＰＤＣＣＨを送信する送信モジュールをさらに備える。
【００３８】
また、本発明の実施例に係るＰＤＣＣＨ検索空間確定方法は、
端末は、プリセット情報における
【数２９】
0005420082.tif 000030
情報及びネットワーク側における異なるＰＤＣＣＨに対応する異なる検索空間を確定するための策略により、受信された各ダウンリンクキャリアに対応するＰＤＣＣＨの検索空間を確定するステップを含む。
【００３９】
好ましくは、前記端末が、プリセット情報における
【数３０】
0005420082.tif 000031
情報及びネットワーク側における異なるＰＤＣＣＨに対応する異なる検索空間を確定するための策略により、受信された各ダウンリンクキャリアに対応するＰＤＣＣＨの検索空間を確定した後に、
前記端末は、確定された前記各検索空間において自身に対応するＰＤＣＣＨを受信するステップをさらに含む。
【００４０】
好ましくは、前記端末が確定された前記各検索空間において自身に対応するＰＤＣＣＨを受信するステップは、
前記端末は、確定された前記各検索空間においてＰＤＣＣＨを取得し、前記ＰＤＣＣＨに含まれるキャリア指示ＣＩ情報とプリセット情報における
【数３１】
0005420082.tif 000032
情報が一致するか否かを判定するステップと、
一致すると判定する場合、前記端末は、前記ＣＩ情報により対応する検索空間においてＰＤＣＣＨを受信し、一致しないと判定する場合、前記端末は、他のＰＤＣＣＨを引き続き取得し、各ダウンリンクキャリアにおける各検索空間における全てのＰＤＣＣＨに対して判定するまでに、前記他のＰＤＣＣＨに対応するＣＩ情報とプリセット情報における
【数３２】
0005420082.tif 000033
情報が一致するか否かを判定するステップと、を含む。
【００４１】
また、本発明の実施例に係る端末は、
ネットワーク側から送信された情報により、少なくとも
【数３３】
0005420082.tif 000034
情報を含むプリセット情報を配置する配置モジュールと、
前記配置モジュールが配置したプリセット情報における
【数３４】
0005420082.tif 000035
情報及びネットワーク側における異なる物理ダウンリンク制御チャネルＰＤＣＣＨに対応する異なる検索空間を確定するための策略により、受信された各ダウンリンクキャリアに対応するＰＤＣＣＨの検索空間を確定する確定モジュールと、を備える。
【００４２】
好ましくは、前記端末は、
前記確定モジュールが確定した前記各検索空間において自身に対応するＰＤＣＣＨを受信する受信モジュールをさらに備える。
【００４３】
好ましくは、前記端末は、
前記確定モジュールが確定した前記各検索空間においてＰＤＣＣＨを取得し、前記ＰＤＣＣＨに含まれるキャリア指示ＣＩ情報と前記配置モジュールにより配置されたプリセット情報における
【数３５】
0005420082.tif 000036
情報が一致するか否かを判定し、一致しないと判定する場合、各ダウンリンクキャリアにおける各検索空間における全てのＰＤＣＣＨに対して判定するまで他のＰＤＣＣＨに対応するＣＩ情報と前記配置モジュールにより配置されたプリセット情報における
【数３６】
0005420082.tif 000037
情報が一致するか否かを引き続き判定する判定モジュールをさらに備え、
前記受信モジュールは、さらに、前記判定モジュールの判定結果が一致とする場合、前記ＣＩ情報により対応する検索空間においてＰＤＣＣＨを受信する。
【発明の効果】
【００４４】
従来技術に比べ、本発明は、以下の利点を持つ。
【００４５】
本発明の実施例に係る技術案によれば、ＣＩ情報を検索空間の確定過程に追加することにより、１つの端末のクロスキャリアＰＤＣＣＨに異なる検索空間を割り当てることができ、基地局と端末が各ダウンリンクキャリアにおけるＰＤＣＣＨの検索空間を正確に確定することが可能となり、これによって、ＰＤＣＣＨスケジューリング過程におけるブロッキング確率を低減し、ＰＤＣＣＨ伝送の信頼性を向上させるようにする。
【図面の簡単な説明】
【００４６】
【図１】従来技術におけるクロスキャリアＰＤＣＣＨを示す図である。
【図２】従来技術における検索空間を示す図である。
【図３】従来技術のＯｐｔｉｏｎ１ＢのＤＣＩ構成を示す図である。
【図４】本発明の実施例に係るＰＤＣＣＨ情報送信方法のフローチャートである。
【図５】本発明の実施例に係るＰＤＣＣＨ情報受信方法のフローチャートである。
【図６】本発明の実施例似係る具体的な応用シナリオにおけるＣＩをベースにして独立するＰＤＣＣＨリソース保持空間を確定することを示す図である。
【図７】本発明の実施例に係る基地局の構成を示す図である。
【図８】本発明の実施例に係る一の応用シナリオにおける第２確定モジュールの構成を示すである。
【図９】本発明の実施例に係る他の一つの応用シナリオにおける第２確定モジュールの構成を示す図である。
【図１０】本発明の実施例に係る他の一つの応用シナリオにおける第２確定モジュールの構成を示す図である。
【図１１】本発明の実施例に係る端末の構成を示す図である。
【発明を実施するための形態】
【００４７】
以下、本発明の実施例における図面を結合して、本発明の実施例における技術的方案を、詳しく、完全に説明し、説明する実施例は、本発明の実施例の一部のみに過ぎず、全ての実施例ではないことが明らかってある。本発明における実施例に基づいて、当業者が創造的な労働がないとの前提で取得した全ての他の実施例は、本発明の保護範囲に属する。
【００４８】
背景技術に記載されているように、１つの端末に属する複数のクロスキャリアＰＤＣＣＨが１つのキャリアに載せらされて伝送される場合、従来の検索空間確定方式は伝送過程におけるブロッキング確率を増大させてしまう。
【００４９】
ここで、クロスキャリアＰＤＣＣＨは１つの端末に属する、クロスキャリアスケジューリングを実施するＰＤＣＣＨを指し、本キャリアスケジューリングを担当するＰＤＣＣＨと他のキャリアスケジューリングを担当するＰＤＣＣＨとを含む。
【００５０】
従来技術における欠陥を解消する、本発明の実施例に係るＰＤＣＣＨ検索空間確定方法は、同一の端末が所属する複数のＰＤＣＣＨの指示情報を同一のキャリアにより伝送するシステムに利用され、ＣＩ情報をクロスキャリアＰＤＣＣＨの検索空間の設置モードに取り入れるこれによって、クロスキャリアに複数のＰＤＣＣＨ検索空間をそれぞれ独立に設置するように指示し、対応する検索空間を介して対応するＰＤＣＣＨを取得できることを端末に通知する。
【００５１】
このような技術方案は、クロスキャリアのＰＤＣＣＨとキャリアとの関係を示す１つのＣＩ（通常、１〜３ｂｉｔｓを含む）フィールドを従来のＲｅ１−８のＤＣＩ（Ｄｏｗｎｌｉｎｋ Ｃｏｎｔｒｏｌ Ｉｎｆｏｒｍａｔｉｏｎ、ダウンリンク制御情報）フィールドに追加する、クロスキャリアＰＤＣＣＨの設計方案に基づいて実現る。
【００５２】
本発明の実施例に係るＰＤＣＣＨ情報送信方法は、具体的に以下のように実施する。
【００５３】
まず、基地局は、ＣＩ情報により異なるＰＤＣＣＨに対応する異なる検索空間を確定し、次に、当該基地局は、対応する検索空間を介して対応する端末へ異なるＰＤＣＣＨを送信する。
【００５４】
ここで、基地局がＣＩ情報により異なるＰＤＣＣＨに対応する異なる検索空間を確定するのは、以下の通りであってもよいがこれに限られない。
【００５５】
基地局は、まずＣＩ情報を確定し、そして確定されたＣＩ情報により異なるＰＤＣＣＨに対応する異なる検索空間を確定する。
【００５６】
基地局は、ＤＣＩフィールドにおける情報によりＣＩ情報を確定できるがこれに限られない。
【００５７】
以下、より具体的な実施形態を挙げる。
【００５８】
図４に示すように、本発明の実施例に係るＰＤＣＣＨ情報送信方法は、ステップ４０１とステップ４０２と、ステップ４０３とを含む。
【００５９】
ステップＳ４０１：基地局は、ＣＩ情報を確定する。
【００６０】
実際の応用において、基地局は、ＤＣＩフィールドにおける情報によってＣＩ情報の確定を行うことができる。
【００６１】
ステップＳ４０２：基地局は、ＣＩ情報により異なるＰＤＣＣＨに対応する異なる検索空間を確定する。
【００６２】
検索空間の確定は、検索空間開始パラメータＹｋを確定し、当該パラメータが確定された後、対応する方法により検索空間の開始位置の具体的な数値を確定するステップと、その後、ＣＣＥ情報を更に確定して、検索空間の確定を完了するステップとを含む。
【００６３】
具体的な応用シナリオにおいて、異なるＰＤＣＣＨに対応する異なる検索空間の確定方式は、以下の３種類の方案がある。
【００６４】
〈方案一〉各ＰＤＣＣＨに対応する検索空間開始パラメータの確定過程にＣＩ情報を取り入れて、異なる検索空間を確定する。
まず、基地局は、各ＰＤＣＣＨのＣＩ情報により各ＰＤＣＣＨに対応する検索空間開始パラメータを確定する。
そして、基地局は、検索空間開始パラメータにより対応するＣＣＥ情報を確定する。
【００６５】
方案一によれば、まず、検索空間開始パラメータの確定過程においてＣＩ情報を取り入れて、各ＰＤＣＣＨのＣＩ情報により各ＰＤＣＣＨに対応する検索空間開始パラメータを確定し、次に、更にＣＩ情報により確定された検索空間開始パラメータによって対応するＣＣＥ情報を確定し、よって、ＣＩ情報により異なるＰＤＣＣＨに対応する異なる検索空間を確定する処理を実現する。
【００６６】
〈方案二〉、各ＰＤＣＣＨに対応するＣＣＥ情報の確定過程においてＣＩ情報を取り入れて、異なる検索空間を確定する。
まず、基地局は、各ＰＤＣＣＨに対応する検索空間開始パラメータを確定する。
そして、基地局は、各ＰＤＣＣＨのＣＩ情報と検索空間開始パラメータにより各ＰＤＣＣＨに対応するＣＣＥ情報を確定する。
【００６７】
当該方案において、検索空間開始パラメータの確定過程を、依然として従来の処理方式によって処理し、検索空間開始パラメータを確定した後、ＣＩ情報を後続するＣＣＥ情報の確定過程において取り入れることにより、ＣＩ情報により異なるＰＤＣＣＨに対応する異なる検索空間を確定する処理を実現する。
【００６８】
〈方案三〉各ＰＤＣＣＨに対応する検索空間開始パラメータとＣＣＥ情報の確定過程においてもＣＩ情報を取り入れて、異なる検索空間を確定する。
まず、基地局は、各ＰＤＣＣＨのＣＩ情報により各ＰＤＣＣＨに対応する検索空間開始パラメータを確定する。
そして、基地局は、各ＰＤＣＣＨのＣＩ情報と検索空間開始パラメータにより各ＰＤＣＣＨに対応するＣＣＥ情報を確定する。
【００６９】
当該方案によれば、検索空間開始パラメータの過程においてＣＩ情報を取り入れて、各ＰＤＣＣＨのＣＩ情報により各ＰＤＣＣＨに対応する検索空間開始パラメータを確定するだけではなく、後続するＣＣＥ情報の確定過程においてもＣＩ情報を取り入れ、即ち、ＣＩ情報及びＣＩ情報により確定された検索空間開始パラメータによって対応するＣＣＥ情報を確定し、これによって、ＣＩ情報により異なるＰＤＣＣＨに対応する異なる検索空間を確定する処理を実現する。
【００７０】
具体的な応用シナリオにおいて、上述の３種類の方法のいずれも、量子化された後のＣＩ情報を具体的な確定過程に利用させるために、方法の終了する前にＣＩ情報を量子化する変換過程を含む。
【００７１】
ステップＳ４０３：基地局は、対応する検索空間を介して対応する端末へ異なるＰＤＣＣＨを送信する。
【００７２】
上述の技術方案のフローチャートは基地局側又はネットワーク側による実施されるが、以下の本発明の実施例においては、端末側から、本発明の実施例が提供する技術方案を説明する。
図５に示すように、本発明の実施例が提供するＰＤＣＣＨ情報受信方法は、以下のように、ステップ５０１とステップ５０２とを含む。
【００７３】
ステップＳ５０１：端末は、プリセット情報における
【数３７】
0005420082.tif 000038
情報及びネットワーク側における異なるＰＤＣＣＨに対応する異なる検索空間を確定するための策略によって、受信された各ダウンリンクキャリアにおけるＰＤＣＣＨの検索空間を確定する。
【００７４】
当該ステップの前に、端末は、プリセット情報によって各ダウンリンクキャリアに対応する
【数３８】
0005420082.tif 000039
情報を取得することができ、端末は、後続操作のため、当該
【数３９】
0005420082.tif 000040
情報によってダウンリンクキャリアにおける各検索空間を確定する。
【００７５】
具体的な応用シナリオにおいて、前記プリセット情報は、ネットワーク側により直接端末に配置される情報であり、
【数４０】
0005420082.tif 000041
（
【数４１】
0005420082.tif 000042
はネットワーク側により端末に配置される受信可能のキャリア番号であり、
【数４２】
0005420082.tif 000043
はネットワーク側により端末に配置される受信を必要とするキャリア番号の最大集合を構成する）、
【数４３】
0005420082.tif 000044
及び
【数４４】
0005420082.tif 000045
を含むことができる。
【００７６】
さらに、検索空間を確定するために、端末は、また、ネットワーク側に利用される異なるＰＤＣＣＨに対応する異なる検索空間を確定するための策略を取得し、当該策略に基づいて、
【数４５】
0005420082.tif 000046
情報によって対応する検索空間を確定するようにする必要がある。このような処理過程において、当該策略の取得方式は予めシステムに一括的に設定されてもよく、情報インタラクションによって得られてもよいし、実際にどの方式を利用しても本発明の保護範囲に影響しない。
【００７７】
同じリソース保持空間において複数のＰＤＣＣＨを伝送することによって引き起こすブロッキングを防ぐため、ネットワーク側は、異なるリソース保持空間を介して端末へＰＤＣＣＨを送信する。異なるリソース保持空間に異なる利用可能のリソースが存在するため、異なるリソース保持空間において異なる利用可能空間を各ＰＤＣＣＨに割り当てることができ、ブロッキングを防ぐことができる。
【００７８】
端末自身に対応する複数のクロスキャリアＰＤＣＣＨが異なる検索空間に分布するため、端末は、各検索空間に載せられたＰＤＣＣＨを検出するため、現在のダウンリンクキャリアにおける各検索空間を検出する必要がある。最初、端末は、ダウンリンクキャリアにおける検索空間の位置を知らないため、
【数４６】
0005420082.tif 000047
情報によりダウンリンクキャリアに検索空間の位置を確定する必要がある。
【００７９】
ステップＳ５０２、端末は、確定された各検索空間において自身に対応するＰＤＣＣＨを受信する。
【００８０】
具体的な応用シナリオにおいて、端末がＰＤＣＣＨを受信するには、端末自身に対応するＰＤＣＣＨであるか否かの判定を行う必要がある。具体的に以下のように判定することができる。
【００８１】
端末は、取得されたＰＤＣＣＨに含まれるＣＩ情報とプリセット情報における
【数４７】
0005420082.tif 000048
情報が一致するか否かを比較することにより、自身に対応するＣＩ情報を検出し、当該ＣＩ情報により対応するＰＤＣＣＨを取得する。
【００８２】
上述のように、端末は、確定された各検索空間においてＰＤＣＣＨを取得し、ＰＤＣＣＨに含まれるＣＩ情報とプリセット情報における
【数４８】
0005420082.tif 000049
が一致するか否かを判定する。
【００８３】
一致すると判定する場合、端末は、当該ＣＩ情報により対応する検索空間においてＰＤＣＣＨを受信し、一致しないと判定する場合、端末は、各ダウンリンクキャリアにおける各検索空間における全てのＰＤＣＣＨにたいする判定が完了するまでに、他のＰＤＣＣＨに含まれるＣＩ情報とプリセット情報における
【数４９】
0005420082.tif 000050
情報が一致するか否かを引き続き判定する。
【００８４】
同一の端末の所属する複数のＰＤＣＣＨが異なるリソース保持空間に位置する可能性があるため、ネットワーク側は、端末へ相応する指示情報を送信し、端末に異なるＰＤＣＣＨの存在するリソース保持空間を暗然的に知らせ、対応する検索空間において異なるＰＤＣＣＨを取得し、このような情報がＣＩ情報によって指示される、具体的な応用シナリオにおいて、ＣＩ情報はＤＣＩ情報に載せられて端末へ送信されてもよい。
【００８５】
相応の指示効果があれば、ＣＩ情報は、他の情報に載せられて端末へ送信されてもよく、具体的な送信モードの変化が本発明の保護範囲に影響しないことを知る必要がある
【００８６】
端末は、初めて１つのＰＤＣＣＨを取得した後、さらに当該ＰＤＣＣＨに含まれるＣＩ情報を受信し、プリセット情報における関連パラメータと比較して、両者が一致するか否かを判定する。
【００８７】
例えば、ＣＩ情報に対応する数値とプリセット情報における
【数５０】
0005420082.tif 000051
を比較して、一致するか否かを判定する。
【００８８】
判定結果が一致である場合、端末は、当該ＣＩ情報が自身に対応するＣＩ情報であることを確認する。
【００８９】
この場合、前記確定された検索空間に含まれるＰＤＣＣＨが端末に対応するＰＤＣＣＨであるため、端末は、それを直接取得できる。
【００９０】
判定結果が不一致である場合、端末は、全てのＰＤＣＣＨに対する検出が完了したまでに他のＰＤＣＣＨを引き続き検出する。
【００９１】
この場合、前記取得されたＰＤＣＣＨが端末に対応するＰＤＣＣＨではないため、端末は、引き続き検出する必要がある。勿論、全てのＰＤＣＣＨに対して検出しても正確な検索空間を検出できなければ、対応するＰＤＣＣＨが取得できず、検索が失敗したことが確定できる。
【００９２】
従来技術に比べて、本発明の実施例は、以下の利点を持つ。
【００９３】
本発明の実施例が提供する技術的方案によれば、検索空間にＣＩ情報を確定過程において取り入れることにより、１つの端末のクロスキャリアＰＤＣＣＨに異なる検索空間を割り当てることができ、基地局と端末が各ダウンリンクキャリアにおけるＰＤＣＣＨの検索空間を正確に確定することが可能となり、ＰＤＣＣＨスケジューリング過程におけるブロッキング確率が低減され、ＰＤＣＣＨ伝送の信頼性を向上できるようになる。
【００９４】
以下、具体的な応用シナリオの実施例により、本発明の実施例における技術的方案を詳しく、完全に説明する。説明する実施例は、本発明の実施例の一部のみに過ぎず、全ての実施例ではないことが当業者にとって明らかってある。本発明における実施例に基づいて、当業者が創造的労働せず取得した全ての他の実施例は、本発明の実施例の保護範囲に属する。
【００９５】
本発明の実施例が提供する技術方案は、ＣＩフィールドをＰＤＣＣＨの検索空間確定過程において取り入れ、同一ＵＥの複数のクロスキャリアＰＤＣＣＨを異なるリソース保持空間に載せるようにする。かつ、当該リソース保持空間を当該ＵＥの検索空間とし、対応するＰＤＣＣＨの取得を行うことによりＰＤＣＣＨのブロッキング確率を下げる。
【００９６】
具体的には、ＣＩ情報を、検索空間開始パラメータＹｋの確定過程又はＣＣＥ情報の確定過程において、又は両者に取り入れる。
【００９７】
ＣＩ情報を検索空間開始パラメータＹｋの確定過程において取り入れる例を挙げて、本発明の実施例が提供する技術的方案を説明する。
【００９８】
まず、以下の式は元の検索空間開始パラメータＹｋを訂正する数式であり、
【数５１】
0005420082.tif 000052
ここで、
【数５２】
0005420082.tif 000053
はＣＩ情報に対応する十進法の数値であり、
pはシステムに設定された整数であり、
【数５３】
0005420082.tif 000054
A=39827、
D=65537、
【数５４】
0005420082.tif 000055
ｎｓは無線フレームのタイムスロット番号である。
【００９９】
上記設置の技術的な構想は、具体的な応用シナリオにおいて、同一のＵＥが同じ
【数５５】
0005420082.tif 000056
を有するが、異なるクロスキャリアＰＤＣＣＨに応じて異なる
【数５６】
0005420082.tif 000057
を有するため、上記修正後の検索空間開始パラメータＹｋの数式によって、サブフレームごとに計算されたＹｋが異なる。
【０１００】
計算されたＹｋをＣＣＥ情報の数式に代入して、異なる検索空間値を得て、即ち、異なるキャリアのＰＤＣＣＨを異なる検索空間に載せるように指示する。
【０１０１】
具体的な例を参照して、上記数式を以下のように解析する。
【０１０２】
あるＵＥは、３つのキャリアで同時にデータを伝送するように設置され、ある無線サブフレームに３つのＰＤＣＣＨを必要とし、ＰＤＣＣＨごとに使用されるＡｇｇｒｅｇａｔｉｏｎ Ｌｅｖｅｌが１とする場合、各ＰＤＣＣＨが独立する検索空間に割り当てられ、図６に示すように、各検索空間に６つの連続するリソースユニット（合計で６つのＣＣＥ）がある。これによって、当該方式で、ＰＤＣＣＨを伝送するリソースをより容易に検索し、即ち、ＰＤＣＣＨのブロッキング確率が低下できる。
【０１０３】
これに類似して、ＣＩ情報をＣＣＥ情報の確定過程に取り入れる例を挙げ、本発明の実施例が提供する技術的方案を説明する。
【０１０４】
まず、検索空間開始パラメータＹｋは確定され、従来技術の確定方式によって、ＣＩ情報を参照せず直接算出されてもよいし、上記方案又は本発明の技術思想に基づく他の方案によってＣＩ情報を参照して算出されてもよく、具体的な検索空間開始パラメータＹｋの取得方式の変化が本実施例の保護範囲に影響しない。
【０１０５】
次に、以下は元のＣＣＥ情報を訂正する数式であり、
【数５７】
0005420082.tif 000058
ここで、
【数５８】
0005420082.tif 000059
はＣＩ情報に対応する十進法の数値であり、
ｐはシステムに設定された整数であり、
i=０、１、…、L-１、
ｍ=０、１、…、ＭＬ-１、
Lはアグリゲーション・リソースレベルであり、
ＭＬはアグリゲーション・リソースレベルＬに対応する検索空間のサイズであり、
最後、上記式によって計算されたＣＣＥ情報により、対応する検索空間を確定して、ＰＤＣＣＨのスケジューリングを行う。
【０１０６】
さらに、本発明の実施例が提供する技術的方案は、ＣＩを検索空間開始パラメータＹｋの確定過程とＣＣＥ情報の確定過程に同時に取り入れることもでき、取り入れ方式が多様であるため、ここでは詳しく述べない。
【０１０７】
具体的な取り入れ方式は、上記数式に示す取り入れ方式に限られなく、異なるリソース保持空間における異なるＰＤＣＣＨを伝送する技術効果を実現できる取り入れ方式であれば本発明の技術的方案に属すべきである。
【０１０８】
従来技術に比べ、本発明の実施例は、以下の利点を持つ。
【０１０９】
本発明の実施例が提供する技術的方案によれば、ＣＩ情報を検索空間の確定過程において取り入れることにより、１つの端末のクロスキャリアＰＤＣＣＨに異なる検索空間を割り当てることができ、基地局と端末が各ダウンリンクキャリアにおけるＰＤＣＣＨの検索空間を正確に確定することが可能となるので、ＰＤＣＣＨスケジューリング過程におけるブロッキング確率が低減され、ＰＤＣＣＨ伝送の信頼性を向できるようになる。
【０１１０】
上記技術方案を実現するために、図７に示すように、本発明の実施例が提供する基地局の構成を示す図である。
【０１１１】
ＣＩ情報を確定することに用いられる第１確定モジュール（７１）と、
前記第１確定モジュール（７１）に接続され、第１確定モジュール（７１）により確定されたＣＩ情報により異なるＰＤＣＣＨに対応する異なる検索空間を確定することに用いられる第２確定モジュール（７２）と、を備える。
【０１１２】
さらに、前記第１確定モジュール（７１）は、具体的にＤＣＩフィールドにおける情報によりＣＩ情報を確定することに用いられる。
【０１１３】
さらに、当該基地局は、
第２確定モジュール（７２）に接続され、第２確定モジュール（７２）により確定された異なる検索空間を通じて対応する端末へ異なるＰＤＣＣＨを送信することに用いられる送信モジュール（７３）をさらに備える。
【０１１４】
具体的な応用シナリオにおいて、異なるＰＤＣＣＨに対応する異なる検索空間の確定方式に応じて、第２確定モジュール（７２）は、以下の３つの方案で構成できる。
【０１１５】
〈方案一〉各ＰＤＣＣＨに対応する検索空間開始パラメータの確定過程においてＣＩ情報を取り入れて異なる検索空間を確定する場合、図８に示すように、第２確定モジュール（７２）は、
第１確定モジュール（７１）により確定されたＣＩ情報を量子化する量子化サブモジュール（７２１）と、
量子化サブモジュール（７２１）に接続され、量子化サブモジュール（７２１）により量子化された各ＰＤＣＣＨのＣＩ情報により各ＰＤＣＣＨに対応する検索空間開始パラメータを確定するパラメータ確定サブモジュール（７２２）と、
パラメータ確定サブモジュール（７２２）に接続され、パラメータ確定サブモジュール７２２により確定された検索空間開始パラメータによりＣＣＥ情報を確定する情報確定サブモジュール（７２３）と、を備える。
【０１１６】
〈方案二〉各ＰＤＣＣＨに対応するＣＣＥ情報の確定過程においてＣＩ情報を取り入れて異なる検索空間を確定する場合、図９に示すように、第２確定モジュールは、
第１確定モジュール（７１）により確定されたＣＩ情報を量子化する量子化サブモジュール（７２１）と、
検索空間開始パラメータを確定するパラメータ確定サブモジュール（７２２）と、
量子化サブモジュール（７２１）とパラメータ確定サブモジュール（７２２）に接続され、量子化サブモジュール（７２１＿により量子化された各ＰＤＣＣＨのＣＩ情報とパラメータ確定サブモジュール（７２２）により確定された検索空間開始パラメータにより各ＰＤＣＣＨに対応するＣＣＥ情報を確定する情報確定サブモジュール（７２３）と、を備える。
【０１１７】
〈方案三〉各ＰＤＣＣＨに対応する検索空間開始パラメータとＣＣＥ情報の確定過程において取り入られたＣＩ情報により異なる検索空間を確定する場合、図１０に示すように、第２確定モジュール（７２）は、
第１の確定モジュール（７１）により確定されたＣＩ情報を量子化する量子化サブモジュール（７２１）と、
量子化サブモジュール（７２１）に接続され、量子化サブモジュール（７２１）により量子化された各ＰＤＣＣＨのＣＩ情報により各ＰＤＣＣＨに対応する検索空間開始パラメータを確定するパラメータ確定サブモジュール（７２２）と、
量子化サブモジュール（７２１）とパラメータ確定サブモジュール７２２に接続され、量子化サブモジュール（７２１）により量子化された各ＰＤＣＣＨのＣＩ情報とパラメータ確定サブモジュール（７２２）により確定された検索空間開始パラメータにより各ＰＤＣＣＨに対応するＣＣＥ情報を確定する情報確定サブモジュール（７２３）と、を備える。
【０１１８】
図１１は本発明の実施例にかかる端末の構成を示す図である。端末は配置モジュール（１１１）と確定モジュール（１１２）とを備える。
【０１１９】
配置モジュール（１１１）は、ネットワーク側が送信した情報により、少なくとも
【数５９】
0005420082.tif 000060
情報を含むプリセット情報を配置する。
【０１２０】
具体的な応用シナリオにおいて、前記プリセット情報は、ネットワーク側より直接端末に割り当てられる情報であり、
【数６０】
0005420082.tif 000061
（
【数６１】
0005420082.tif 000062
はネットワーク側より端末に配置される受信可能なキャリア番号であり、
【数６２】
0005420082.tif 000063
はネットワーク側より端末に配置される受信を必要とするキャリア番号の最大集合を構成する）、
【数６３】
0005420082.tif 000064
及び
【数６４】
0005420082.tif 000065
を含むことができる。
【０１２１】
確定モジュール（１１２）は、配置モジュール１１１により配置されたプリセット情報における
【数６５】
0005420082.tif 000066
情報及びネットワーク側における異なるＰＤＣＣＨに対応する異なる検索空間を確定するための策略に基づいて、受信された各ダウンリンクキャリアにおけるＰＤＣＣＨの検索空間を確定することに用いられる。
【０１２２】
当該端末は、確定モジュール（１１２）により確定された各検索空間において自身に対応するＰＤＣＣＨを確定する受信モジュール（１１３）をさらに備える。
【０１２３】
具体的な応用シナリオにおいて、ＣＩ情報の比較により自身に対応するＣＩ情報を検出し対応するＰＤＣＣＨを取得するために、当該端末は、
確定モジュール１１２により確定された各検索空間においてＰＤＣＣＨを取得し、ＰＤＣＣＨに含まれるＣＩ情報と配置モジュール１１１により配置されたプリセット情報における
【数６６】
0005420082.tif 000067
情報が一致するか否かを判定し、一致しないと判定する場合、各ダウンリンクキャリアにおける各検索空間における全てのＰＤＣＣＨに対して判定完了までに、他のＰＤＣＣＨに含まれるＣＩ情報と配置モジュール１１１により配置されたプリセット情報における
【数６７】
0005420082.tif 000068
情報が一致するか否かを引き続き判定する判定モジュール１１4と、
判定モジュール１１4の判定結果が一致である場合、ＣＩ情報により対応する検索空間においてＰＤＣＣＨを受信する受信モジュール１１３と、をさらに備える。
【０１２４】
従来技術に比べ、本発明の実施例は、以下の利点を持つ。
【０１２５】
本発明の実施例に係る技術方案によれば、ＣＩ情報を検索空間の確定過程において取り入れることにより、１つの端末のクロスキャリアＰＤＣＣＨに異なる検索空間を割り当てることができ、基地局と端末が各ダウンリンクキャリアにおけるＰＤＣＣＨの検索空間を正確に確定することが可能となり、これによって、ＰＤＣＣＨスケジューリング過程におけるブロッキング確率が低減され、ＰＤＣＣＨ伝送の信頼性を向上できるようになる。
【０１２６】
以上は本発明の実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における一つのブロック又は複数のブロックに指定される機能を実現する。
【０１２７】
当業者は、図面が好ましい実施例を示す図だけであるが、図面におけるモジュール又はフローチャートが必ず本発明の実施に必要なものではないことを理解すべきである。
【０１２８】
当業者は、実施例に係る装置におけるモジュールが実施例のように実施例の装置に配置されてもよいし、変化されて本実施例とは異なる１つ又は複数の装置に配置してもよいということを理解すべきである。上記実施例のモジュールは、１つのモジュールに合併されてもよし、さらに複数のサブモジュールに分解されてもよい。
【０１２９】
上記本発明の順番は、説明の便宜のために過ぎず、実施例の優劣を代表するものではない。
【０１３０】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【図１】
0005420082.tif 000105
【図２】
0005420082.tif 000106
【図３】
0005420082.tif 000107
【図４】
0005420082.tif 000108
【図５】
0005420082.tif 000109
【図６】
0005420082.tif 000110
【図７】
0005420082.tif 000111
【図８】
0005420082.tif 000112
【図９】
0005420082.tif 000113
【図１０】
0005420082.tif 000114
【図１１】
0005420082.tif 000115